【手続補正書】
【提出日】平成16年11月5日(2004.11.5)
【手続補正１】
【補正対象書類名】明細書
【補正対象項目名】特許請求の範囲
【補正方法】変更
【補正の内容】
【特許請求の範囲】
【請求項１】
画像形成後の被転写体の後処理を行う被転写体後処理装置において、画像形成後の被転写体を導入する被転写体導入手段と、上記被転写体導入手段から導入された被転写体の後処理を行う被転写体後処理手段と、上記被転写体後処理手段が配置されて固定される構造体の被転写体後処理装置本体と、上記被転写体後処理装置本体の接続部を上下方向に移動する接続部移動手段とからなることを特徴とする被転写体後処理装置。
【請求項２】
請求項１に記載の被転写体後処理装置において、接続部は、着磁部材を備えることを特徴とする被転写体後処理装置。
【請求項３】
請求項１、又は２に記載の被転写体後処理装置において、接続部は、位置決め手段を備えることを特徴とする被転写体後処理装置。
【請求項４】
請求項１、２、又は３に記載の被転写体後処理装置において、接続部は、電気コネクタからなることを特徴とする被転写体後処理装置。
【請求項５】
請求項１，２，３又は４に記載の被転写体後処理装置において、電気コネクタは、電源を接続する電源コネクタからなることを特徴とする被転写体後処理装置。
【請求項６】
請求項４又は５に記載の被転写体後処理装置において、電気コネクタは、制御信号を接続する制御信号コネクタからなることを特徴とする被転写体後処理装置。
【請求項７】
請求項４、５又は６に記載の被転写体後処理装置において、電気コネクタは、接地を接続する接地コネクタからなることを特徴とする被転写体後処理装置。
【請求項８】
請求項１、２、３、４、５、６、又は７に記載の被転写体後処理装置において、接続部は、被転写体後処理装置本体に固定する固定部材からなることを特徴とする被転写体後処理装置。
【請求項９】
請求項１、２、３、４、５、６、７、又は８に記載の被転写体後処理装置において、接続部は、接続不良検知部材を備えることを特徴とする被転写体後処理装置。
【請求項１０】
形成画像が転写される被転写体に画像を形成した後に後処理する被転写体後処理装置を具備する画像形成装置において、形成画像を被転写体に転写して形成画像を形成する画像形成手段と、上記画像形成手段で画像が形成される被転写体を搬送して排出する被転写体排出手段と、上記被転写体排出手段から排出される形成画像が形成された被転写体に後処理する後処理モードを選択する後処理モード選択手段と、上記後処理モード選択手段の後処理モードの選択により上記被転写体排出手段から排出される形成画像が形成された被転写体に後処理する請求項１、２、３、４、５、６、７、８、又は９に記載の被転写体後処理装置と、上記被転写体後処理装置を接続する接続部とからなることを特徴とする被転写体後処理装置を具備する画像形成装置。
【請求項１１】
請求項１０に記載の被転写体後処理装置を具備する画像形成装置において、画像形成手段は、被転写体を積載して供給する高さの異なる被転写体バンクを装置本体の下部に組み替えを可能に配置したことを特徴とする被転写体後処理装置を具備する画像形成装置。
【請求項１２】
請求項１０又は１１に記載の被転写体後処理装置を具備する画像形成装置において、被転写体排出手段は、高さが異なる複数の被転写体排出口を配置したことを特徴とする被転写体後処理装置を具備する画像形成装置。
【請求項１３】
請求項１０、１１、又は１２に記載の被転写体後処理装置を具備する画像形成装置において、接続部は、着磁部材を備えることを特徴とする被転写体後処理装置を具備する画像形成装置。
【請求項１４】
請求項１０、１１、１２、又は１３に記載の被転写体後処理装置を具備する画像形成装置において、接続部は、位置決め手段を備えることを特徴とする被転写体後処理装置を具備する画像形成装置。
【手続補正２】
【補正対象書類名】明細書
【補正対象項目名】０００６
【補正方法】変更
【補正の内容】
【０００６】
【課題を解決するための手段】
上記目的を達成するために、請求項１の本発明は、画像形成後の被転写体の後処理を行う被転写体後処理装置において、画像形成後の被転写体を導入する被転写体導入手段と、上記被転写体導入手段から導入された被転写体の後処理を行う被転写体後処理手段と、上記被転写体後処理手段が配置されて固定される構造体の被転写体後処理装置本体と、上記被転写体後処理装置本体の接続部を上下方向に移動する接続部移動手段とからなる被転写体後処理装置であることを最も主要な特徴とする。
請求項２の本発明は、請求項１に記載の被転写体後処理装置において、接続部は、着磁部材を備える被転写体後処理装置であることを主要な特徴とする。
請求項３の本発明は、請求項１、又は２に記載の被転写体後処理装置において、接続部は、位置決め手段を備える被転写体後処理装置であることを主要な特徴とする。
【手続補正３】
【補正対象書類名】明細書
【補正対象項目名】０００７
【補正方法】変更
【補正の内容】
【０００７】
請求項４の本発明は、請求項１、２又は３に記載の被転写体後処理装置において、接続部は、電気コネクタとからなる被転写体後処理装置であることを主要な特徴とする。
請求項５の本発明は、請求項４に記載の被転写体後処理装置において、電気コネクタは、電源を接続する電源コネクタとからなる被転写体後処理装置であることを主要な特徴とする。
請求項６の本発明は、請求項４又は５に記載の被転写体後処理装置において、電気コネクタは、制御信号を接続する制御信号コネクタとからなる被転写体後処理装置であることを主要な特徴とする。
請求項７の本発明は、請求項４、５又は６に記載の被転写体後処理装置において、電気コネクタは、接地を接続する接地コネクタとからなる被転写体後処理装置であることを主要な特徴とする。
請求項８の本発明は、請求項１、２、３、４、５、６、又は７に記載の被転写体後処理装置において、接続部は、被転写体後処理装置本体に固定する固定部材とからなる被転写体後処理装置であることを主要な特徴とする。
請求項９の本発明は、請求項１、２、３、４、５、６、７、又は８に記載の被転写体後処理装置において、接続部は、接続不良検知部材を備える被転写体後処理装置であることを主要な特徴とする。
【手続補正４】
【補正対象書類名】明細書
【補正対象項目名】０００８
【補正方法】変更
【補正の内容】
【０００８】
請求項１０の本発明は、形成画像が転写される被転写体に画像を形成した後に後処理する被転写体後処理装置を具備する画像形成装置において、形成画像を被転写体に転写して形成画像を形成する画像形成手段と、上記画像形成手段で画像が形成される被転写体を搬送して排出する被転写体排出手段と、上記被転写体排出手段から排出される形成画像が形成された被転写体に後処理する後処理モードを選択する後処理モード選択手段と、上記後処理モード選択手段の後処理モードの選択により上記被転写体排出手段から排出される形成画像が形成された被転写体に後処理する上記請求項１、２、３、４、５、６、７、８、又は９に記載の被転写体後処理装置と、上記被転写体後処理装置を接続する接続部とからなる被転写体後処理装置を具備する画像形成装置であることを最も主要な特徴とする。
請求項１１の本発明は、請求項１０に記載の被転写体後処理装置を具備する画像形成装置において、画像形成手段は、被転写体を積載して供給する高さの異なる被転写体バンクを装置本体の下部に組み替えを可能に配置した被転写体後処理装置を具備する画像形成装置であることを主要な特徴とする。
請求項１２の本発明は、請求項１０又は１１に記載の被転写体後処理装置を具備する画像形成装置において、被転写体排出手段は、高さが異なる複数の被転写体排出口を配置した被転写体後処理装置を具備する画像形成装置であることを主要な特徴とする。
【手続補正５】
【補正対象書類名】明細書
【補正対象項目名】０００９
【補正方法】変更
【補正の内容】
【０００９】
請求項１３の本発明は、請求項１０、１１、又は１２に記載の被転写体後処理装置を具備する画像形成装置において、接続部は、着磁部材を備える被転写体後処理装置を具備する画像形成装置であることを主要な特徴とする。
請求項１４の本発明は、請求項１０、１１、１２、又は１３に記載の被転写体後処理装置を具備する画像形成装置において、接続部は、位置決め手段を備える被転写体後処理装置を具備する画像形成装置であることを主要な特徴とする。
【手続補正６】
【補正対象書類名】明細書
【補正対象項目名】００１０
【補正方法】削除
【補正の内容】
【手続補正７】
【補正対象書類名】明細書
【補正対象項目名】００２２
【補正方法】変更
【補正の内容】
【００２２】
【発明の効果】
本発明は、以上説明したように構成されているので、請求項１の発明によれば、被転写体導入手段から導入された画像形成後の被転写体の後処理を行う被転写体後処理手段が配置されて固定される構造体の被転写体後処理装置本体の接続部を接続部移動手段で上下方向に移動可能に接続して画像形成後の被転写体の後処理を行うようにしたので、画像形成装置の接続部の高さが大きく変化しても低コストで容易な作業で確実に画像形成装置の接続部に接続出来る被転写体後処理装置を提供することが出来るようになった。
【手続補正８】
【補正対象書類名】明細書
【補正対象項目名】００２３
【補正方法】変更
【補正の内容】
【００２３】
請求項２の発明によれば、被転写体導入手段から導入された画像形成後の被転写体の後処理を行う被転写体後処理手段が配置されて固定される構造体の被転写体後処理装置本体の着磁部材とからなる接続部を接続部移動手段で上下方向に移動可能に接続して画像形成後の被転写体の後処理を行うようにしたので、画像形成装置の接続部の高さが大きく変化しても低コストで容易な作業で着磁で更に確実に画像形成装置の接続部に接続出来る被転写体後処理装置を提供することが出来るようになった。
請求項３の発明によれば、被転写体導入手段から導入された画像形成後の被転写体の後処理を行う被転写体後処理手段が配置されて固定される構造体の被転写体後処理装置本体の位置決め手段とからなる接続部を接続部移動手段で上下方向に移動可能に接続して画像形成後の被転写体の後処理を行うようにしたので、画像形成装置の接続部の高さが大きく変化しても低コストで容易な作業で確実に画像形成装置の接続部の正確な位置に接続出来る被転写体後処理装置を提供することが出来るようになった。
請求項４の発明によれば、被転写体導入手段から導入された画像形成後の被転写体の後処理を行う被転写体後処理手段が配置されて固定される構造体の被転写体後処理装置本体の電気コネクタとからなる接続部を接続部移動手段で上下方向に移動可能に接続して画像形成後の被転写体の後処理を行うようにしたので、画像形成装置の接続部の高さが大きく変化しても更に低コストで容易な作業で確実に画像形成装置の接続部に電気的接続も同時に接続出来る被転写体後処理装置を提供することが出来るようになった。
【手続補正９】
【補正対象書類名】明細書
【補正対象項目名】００２４
【補正方法】変更
【補正の内容】
【００２４】
請求項５の発明によれば、被転写体導入手段から導入された画像形成後の被転写体の後処理を行う被転写体後処理手段が配置されて固定される構造体の被転写体後処理装置本体の電気コネクタの電源を接続する電源コネクタとからなる接続部を接続部移動手段で上下方向に移動可能に接続して画像形成後の被転写体の後処理を行うようにしたので、画像形成装置の接続部の高さが大きく変化しても更に低コストで容易な作業で確実に画像形成装置の接続部に電源を接続する電気的接続も同時に接続出来る被転写体後処理装置を提供することが出来るようになった。
請求項６の発明によれば、被転写体導入手段から導入された画像形成後の被転写体の後処理を行う被転写体後処理手段が配置されて固定される構造体の被転写体後処理装置本体の電気コネクタの制御信号を接続する制御信号コネクタとからなる接続部を接続部移動手段で上下方向に移動可能に接続して画像形成後の被転写体の後処理を行うようにしたので、画像形成装置の接続部の高さが大きく変化しても更に低コストで容易な作業で確実に画像形成装置の接続部に制御信号を接続する電気的接続も同時に接続出来る被転写体後処理装置を提供することが出来るようになった。
請求項７の発明によれば、被転写体導入手段から導入された画像形成後の被転写体の後処理を行う被転写体後処理手段が配置されて固定される構造体の被転写体後処理装置本体の電気コネクタの接地を接続する接地コネクタとからなる接続部を接続部移動手段で上下方向に移動可能に接続して画像形成後の被転写体の後処理を行うようにしたので、画像形成装置の接続部の高さが大きく変化しても更に低コストで容易な作業で確実に画像形成装置の接続部に接地を接続する電気的接続も同時に接続出来る被転写体後処理装置を提供することが出来るようになった。
【手続補正１０】
【補正対象書類名】明細書
【補正対象項目名】００２５
【補正方法】変更
【補正の内容】
【００２５】
請求項８の発明によれば、被転写体導入手段から導入された画像形成後の被転写体の後処理を行う被転写体後処理手段が配置されて固定される構造体の被転写体後処理装置本体の接続部を接続部移動手段で上下方向に移動可能に接続すると共に接続部は被転写体後処理装置本体固定部材に固定するようにして画像形成後の被転写体の後処理を行うようにしたので、接続部が被転写体後処理装置本体に固定されて、画像形成装置の接続部の高さが大きく変化しても低コストで容易な作業で確実に画像形成装置の接続部に接続出来る被転写体後処理装置を提供することが出来るようになった。
請求項９の発明によれば、被転写体導入手段から導入された画像形成後の被転写体の後処理を行う被転写体後処理手段が配置されて固定される構造体の被転写体後処理装置本体の接続不良検知部材とからなる接続部を接続部移動手段で上下方向に移動可能に接続して画像形成後の被転写体の後処理を行うようにしたので、正確な接合が行われず隙間が出来ている場合に発生する被搬送体の転写紙の誤搬送のジャム等を未然に確実に防止され、画像形成装置の接続部の高さが大きく変化しても低コストで容易な作業で確実に画像形成装置の接続部に接続出来る被転写体後処理装置を提供することが出来るようになった。
【手続補正１１】
【補正対象書類名】明細書
【補正対象項目名】００２６
【補正方法】削除
【補正の内容】
【手続補正１２】
【補正対象書類名】明細書
【補正対象項目名】００２７
【補正方法】変更
【補正の内容】
【００２７】
請求項１０の発明によれば、画像形成手段で形成画像を転写して形成される被転写体（Ｐ）を搬送して被転写体排出手段から排出して後処理モード選択手段の後処理モードの選択により後処理する上記請求項１、２、３、４、５、６、７、８、又は９に記載の被転写体後処理装置を接続部に接続して形成画像が転写された被転写体に画像を形成した後に後処理するようにしたので、被転写体後処理装置が接続される画像形成装置の接続部の高さが大きく変化しても低コストで容易な作業で確実に接続出来る被転写体後処理装置を具備する画像形成装置を提供することが出来るようになった。
請求項１１の発明によれば、画像形成手段で形成画像を転写して形成される被転写体（Ｐ）を搬送して被転写体排出手段から排出して後処理モード選択手段の後処理モードの選択により後処理する上記請求項１、２、３、４、５、６、７、８、９、又は１０に記載の被転写体後処理装置を接続部に接続すると共に画像形成手段は被転写体を積載して供給する高さの異なる被転写体バンクを装置本体の下部に組み替えを可能に配置して形成画像が転写された被転写体に画像を形成した後に後処理するようにしたので、使用する被転写体の転写紙の用紙の種類、サイズ、積載収容枚数の容量等に応じて被転写体バンクが組み替え可能になり、被転写体後処理装置が接続される画像形成装置の接続部の高さが大きく変化しても低コストで容易な作業で確実に接続出来る被転写体後処理装置を具備する画像形成装置を提供することが出来るようになった。
請求項１２の発明によれば、画像形成手段で形成画像を転写して形成される被転写体（Ｐ）を搬送して被転写体排出手段の配置された高さが異なる複数の被転写体排出口の対応した被転写体排出口から排出して後処理モード選択手段の後処理モードの選択により後処理する上記請求項１、２、３、４、５、６、７、８、９、１０、又は１１に記載の被転写体後処理装置を接続部に接続して形成画像が転写された被転写体に画像を形成した後に後処理するようにしたので、接続される被転写体後処理装置の被転写体導入手段の導入口の位置を変更する事無く、被転写体後処理装置が接続される画像形成装置の接続部の高さが大きく変化しても低コストで容易な作業で確実に接続出来る被転写体後処理装置を具備する画像形成装置を提供することが出来るようになった。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】変更
【補正の内容】
【００２９】
請求項１３の発明によれば、画像形成手段で形成画像を転写して形成される被転写体（Ｐ）を搬送して被転写体排出手段から排出して後処理モード選択手段の後処理モードの選択により後処理する上記請求項１、２、３、４、５、６、７、８、９、１０、１１、又は１２に記載の被転写体後処理装置を着磁部材とからなる接続部に接続して形成画像が転写された被転写体に画像を形成した後に後処理するようにしたので、被転写体後処理装置が接続される画像形成装置の接続部の高さが大きく変化しても低コストで容易な作業で着磁で更に確実に接続出来る被転写体後処理装置を具備する画像形成装置を提供することが出来るようになった。
請求項１４の発明によれば、画像形成手段で形成画像を転写して形成される被転写体（Ｐ）を搬送して被転写体排出手段から排出して後処理モード選択手段の後処理モードの選択により後処理する上記請求項１、２、３、４、５、６、７、８、９、１０、１１、１２、又は１３に記載の被転写体後処理装置を位置決め手とからなる接続部に接続して形成画像が転写された被転写体に画像を形成した後に後処理するようにしたので、被転写体後処理装置が接続される画像形成装置の接続部の高さが大きく変化しても低コストで容易な作業で正確な位置に接続出来る被転写体後処理装置を具備する画像形成装置を提供することが出来るようになった。
【手続補正１５】
【補正対象書類名】明細書
【補正対象項目名】００３０
【補正方法】削除
【補正の内容】
【手続補正１６】
【補正対象書類名】明細書
【補正対象項目名】００３１
【補正方法】削除
【補正の内容】